(57)【要約】【課題】複数の開口部（１００）を有する管板（８４）を備えるバッグハウス（２０）に使用するためのフィルターバッグ構造体の提供。【解決手段】本フィルターバッグ構造体は、カフ（１２０）状に形成された軸方向端部を有する実質的に円筒形のフィルターバッグ（６０）を備えている。フィルターバッグ（６０）は、実質的に非導電性の材料からなる濾過媒体を有する。フィルターバッグ（６０）のカフ（１２０）は開口部に隣接して配置され、管板（８４）の構造（１０４）に取り付けられる。導電性接地線（１８２）が、フィルターバッグ（６０）の一部に沿って延在し、管板と接触する部分を有する。導電性圧潰防止リング（２０２）が、フィルターバッグ（６０）の他の部分の周囲に延在する。導電性カバー（２０４）が圧潰防止リング（２０２）をフィルターバッグ（６０）に固定するとともに接地線（１８２）と圧潰防止リングとの間に導電性を与える。【選択図】  図１
2009000680.tif 000002
【特許請求の範囲】
【請求項１】
複数の開口部（１００）を有する管板（８４）を備えるバッグハウス（２０）に使用するためのフィルターバッグ構造体であって、
カフ（１２０）に形成された部分を有するフィルターバッグ（６０）であって、実質的に非導電性の材料からなる濾過媒体を有し、該フィルターバッグのカフが開口部（１００）に隣接して配置されるとともに管板（８４）の構造（１０４）に取り付けられる、フィルターバッグ（６０）と、
フィルターバッグ（６０）の一部に沿って延在し、電気伝導のため管板（８４）と接触する部分を有する導電性接地線（１８２）と、
フィルターバッグ（６０）の他の部分の周囲に延在する導電性圧潰防止リング（２０２）と、
圧潰防止リング（２０２）をフィルターバッグ（６０）に固定するとともに接地線（１８２）と圧潰防止リングとの間に導電性を与える導電性カバー（２０４）と
を備えるフィルターバッグ構造体。
【請求項２】
前記フィルターバッグ（６０）が実質的に円筒形であって、フィルターバッグの一方の軸方向端部がカフ（１２０）を形成する、請求項１記載のフィルターバッグ構造体。
【請求項３】
前記接地線（１８２）がフィルターバッグ（６０）に取り付けられる、請求項１記載のフィルターバッグ構造体。
【請求項４】
前記接地線（１８２）が、フィルターバッグ（６０）の継ぎ目に沿って該フィルターバッグに取り付けられる、請求項３記載のフィルターバッグ構造体。
【請求項５】
前記接地線（１８２）及びカバー（２０４）がステンレス鋼メッシュ製である、請求項１記載のフィルターバッグ構造体。
【請求項６】
前記圧潰防止リング（２０２）が鋼製である、請求項１記載のフィルターバッグ構造体。
【発明の詳細な説明】
【技術分野】
【０００１】
本発明は広義には集塵装置用のフィルターバッグに関する。具体的には、本発明は、導電性構造をフィルターバッグに組み込んだ静電散逸性フィルターバッグに関する。
【背景技術】
【０００２】
微粒子を含んだ気流を濾過するためのバッグハウスのような集塵装置は公知である。典型的な「逆洗（reverse air）」式バッグハウスは、入口チャンバと出口チャンバとを有するハウジングを備えている。２つのチャンバは、一般に管板と呼ばれる金属板で離隔される。管板は通例この種のバッグハウスの下部に位置する。管板は複数の開口部を有しており、その周囲に取付用シンブルが溶接されている。
【０００３】
フィルターバッグはバッグハウス内に支持される。フィルターバッグは、それらの下端部でそれぞれの取付用シンブルに取り付けられる。フィルターバッグは出口チャンバ内で上方に延在し、その上端部で支持構造に取り付けられる。フィルターバッグは一般にその上端部で付属装置又はテンショニング装置に接続される。
【０００４】
微粒子を含む気体は入口チャンバに送られる。気体は、管板の開口部、シンブル及びフィルターを通って出口チャンバへと流れ込む。微粒子はフィルターバッグの内面で気流から分離される。濾過気体は出口チャンバから排出されるか、或いはその他の用途に向けられる。フィルターバッグは、実質的に非導電性のガラス繊維織物からなる濾過媒体材料、その他編物又はフェルト合成材料のような適当な濾過媒体から製造されることが多い。
【０００５】
フィルターバッグは、バッグハウスで気流を逆流させることによって定期的に清浄化される。フィルターバッグが内側に潰れて清浄化気流が制限又は閉塞するのを防止するため、金属製の圧潰防止リングがフィルターバッグに取り付けられる。圧潰防止リングはリングカバーでフィルターバッグに取り付けられるが、リングカバーは通例ガラス繊維織布から形成され、圧潰防止リングを収容するポケットが形成されるように折り畳んで縫い合わせる。
【０００６】
入口気体は往々にして可燃性又は引火性物質を含むことがある。こうした物質は、蓄積した静電気の火花又は放電によって発火しかねない。用途によっては、フィルターバッグの孤立金属部品に静電荷が蓄積する傾向がある。静電荷によってプロセスダストが濾過媒体に不均一に堆積することがあり、圧潰防止リングの位置の近傍で近くで凝集する傾向がある。静電荷を蓄積されておくと、近くの別の金属部品への火花放電が起こる可能性が生じる。プロセスダストの用途によっては、かかる放電によってプロセスダスト又は引火性物質を発火させ、バッグハウスでの火災又は爆発を生じるおそれがある。
【発明の開示】
【発明が解決しようとする課題】
【０００７】
この問題に対する公知の解決策の一つは、導電性の濾過媒体を設けることである。この解決策は、比較的費用がかかり、濾過媒体の濾過効率に悪影響を与えるという短所がある。そこで、かかる公知の解決策の短所を伴わずに、圧潰防止リングのようなフィルターバッグの金属部分をアースするための導電経路を提供する方法が必要とされている。
【課題を解決するための手段】
【０００８】
本発明の一態様は、比較的経済的にしかも濾過効率に認め得る影響を与えずに、圧潰防止リングをアースするための導電経路を提供する。
【０００９】
本発明の一態様は、複数の開口部を有する管板を備えるバッグハウスに使用するための静電散逸性フィルターバッグ構造体である。フィルターバッグ構造体は、カフ状に形成された部分を有するフィルターバッグを備える。フィルターバッグは、実質的に非導電性の材料からなる濾過媒体を有する。フィルターバッグのカフは開口部に隣接して配置され、管板の構造に取り付けられる。導電性接地線がフィルターバッグの一部に沿って延在し、電気伝導のため管板と接触する部分を有する。導電性圧潰防止リングが、フィルターバッグの他の部分の周囲に延在する。導電性カバーが、圧潰防止リングをフィルターバッグに固定するとともに接地線と圧潰防止リングとの間に導電性を与える。
【００１０】
本発明の他の態様は、複数の開口部を有する管板を備えるバッグハウスに使用するためのフィルターバッグ構造体である。フィルターバッグ構造体は、カフ状に形成された軸方向端部を有する実質的に円筒形のフィルターバッグを備える。フィルターバッグは、実質的に非導電性の材料からなる濾過媒体を有する。フィルターバッグのカフは開口部に隣接して配置され、管板の構造に取り付けられる。導電性接地線がフィルターバッグの一部に沿って延在し、管板に接触する部分を有する。導電性圧潰防止リングがフィルターバッグの他の部分の周囲に延在する。導電性カバーが、圧潰防止リングをフィルターバッグに固定するとともに接地線と圧潰防止リングとの間に導電性を与える。カフは、電気伝導のため接地線と接触しているとともに電気伝導のため管板の構造とも接触した導電性材料を含んでいる。
【００１１】
本発明の他の特徴は、添付の図面と併せて以下の詳細な説明を参照することによって明らかとなろう。
【発明を実施するための最良の形態】
【００１２】
図１に「逆洗」式バッグハウス２０を示す。バッグハウス２０は、閉囲ハウジング４０を備える。ハウジング４０は、金属板のような適当な材料から製造される。汚れた又は微粒子含有気体Ｄは入口４２を通してバッグハウス２０に入る。気体Ｄは、プロセスダスト及び／又は可燃性もしくは引火性物質も含んでいることがある。逆洗式バッグハウスについて図示し説明するが、本発明が「シェーカー」型のような他のタイプのバッグハウスにも適用できることは明らかであろう。
【００１３】
微粒子含有気体Ｄは、バッグハウス２０内に設置された複数のフィルターバッグ６０で濾過される。各フィルターバッグ６０は本発明の一態様に従って構成される。フィルター微粒子はバッグ６０によって気流から除去される。微粒子はフィルターバッグ６０の濾過媒体の内部に集められる。次いで、濾過気体Ｃはフィルターバッグ６０から流出して、出口６２を通してバッグハウス２０を出る。フィルターバッグ６０の清浄化は公知の「逆洗」法によって定期的に行われる。
【００１４】
バッグハウス２０は、管板８４（図５に最も明瞭に図示されている。）によって入口プレナム８０と出口プレナム８２とに分割される。管板８４は、金属板や金属シートのような適当な材料から製造される。入口４２は入口プレナム８０と流体連通している。出口６２は出口プレナム８２と流体連通している。管板８４は、実質的に平坦でフィルターアセンブリ６０を取り付けて支持する１以上の部分を有している。フィルターアセンブリ６０は、出口プレナム８２の長さに近い距離延在するものとして図示されている。
【００１５】
複数の円形開口部１００（図５）が管板８４の平坦部を貫通している。管板８４の各開口部１００は、開口部の内周面で画成される有効直径を有する。複数のビード付シンブル１０４が通常は溶接によって管板８４に取り付けられる。各シンブル１０４は実質的に円筒形であり、内径は開口部１００と実質的に同じである。各シンブル１０４はビード部１０６も含んでいる。ビード部１０６は、シンブル１０４において管板８４に取付けられる端部とは反対側の軸方向端部に形成される。
【００１６】
図示した本発明の一態様に係るフィルターバッグ６０は、「逆洗式バッグ」の形態である。図５に示すように、各フィルターバッグ６０はその下端部が管板８４のビード付シンブル１０４で支持され、実質的に垂直方向に上方に延在している。明らかであろうが、フィルターバッグ６０はどんな方向に向いていてもよい。
【００１７】
各フィルターバッグ６０は実質的に円筒形に形成される。フィルターバッグ６０は、ビード付シンブル１０４に取り付けられる第１の軸方向開放端部を有する。フィルターバッグ６０は反対側の第２の軸方向閉鎖端部も有しており、該端部はテンショニング装置１２２によってハウジング４０の支持構造に取り付けられる。
【００１８】
フィルターバッグ６０は、所期の用途に適した任意の濾過媒体材料から製造できる。微粒子含有気体の濾過に適した濾過媒体材料は、ガラス繊維織物又はアラミド繊維織物のような非導電性材料である。フィルターバッグ６０の開放端は、フィルターバッグ材料の一端を折り返すことによってカフ１２０に形成される。フィルターバッグ６０の折返し端部は、フィルターバッグの円周の周囲に延在する縫い目１６４によって縫い付けられる。
【００１９】
各フィルターバッグ６０は第１の軸方向端部１２０（図２及び図５）でそれぞれのシンブル１０４に取り付けられる。各フィルターバッグ６０は第２の軸方向端部で、バッグハウス２０のハウジング４０に取り付けられたテンショニング装置１２２（図１）に取り付けられる。テンショニング装置１２２は、フィルターバッグ６０をぴんと張って実質的に円筒形に保つための力を加える。
【００２０】
図５を参照すると、フィルターバッグ６０は、シンブル１０４の外周に装着された下端部又はカフ１２０を有する。フィルターバッグ６０のカフ１２０にはコード１３０が包まれている。フィルターバッグを適切に取り付けると、フィルターバッグ６０のコード１３０を包んだカフ１２０の最下端は、シンブル１０４のビード部１０６から軸方向に離隔した位置にある。
【００２１】
カフ１２０は、フィルターバッグ６０の底部で濾過材料を折り返して作られる。コード１３０はカフ１２０内部の軸方向最下端に位置する。カフ１２０の上部は縫い目１６４によってフィルターバッグ６０に縫い付けられる。
【００２２】
ステンレス鋼製クランプ１４０がフィルターバッグ６０のカフ１２０の外周全体に延在している。クランプ１４０は、コード１３０とシンブル１０４のビード部１０６との軸方向中間に配置される。クランプ１４０の調節部１４２を締め付けて、クランプを周方向に収縮させてフィルターバッグ６０のカフ１２０の周囲に係合させる。クランプ１４０は、フィルターバッグ６０のカフ１２０をビード付シンブル１０４の外面に封止係合するのに十分な量締め付けられる。
【００２３】
本発明の一態様では、各フィルターバッグ６０は、フィルターバッグ６０の外面の大部分に沿って設けられた接地構造１８０（図２〜図５）も備えている。接地構造１８０は、接地線１８２及び複数の「圧潰防止」装置１８４を含む。各圧潰防止装置１８４は金属製圧潰防止リング２０２（図４）を備える。各圧潰防止装置１８４は、フィルターバッグ６０が内側に潰れて清浄化気流が制限又は閉鎖されるのを防ぐ。
【００２４】
圧潰防止リング２０２のようなフィルターバッグ６０の孤立金属部分には静電荷が蓄積する傾向がある。静電荷は、気体Ｄから除去された微粒子の一部が濾過媒体に付着して、動作中に圧潰防止リング２０２の隣接領域でフィルターバッグ６０の清浄化効率を低下させるおそれがある。さらに、気体Ｄが可燃性又は引火性物質も含んでいて、蓄積した静電気が放電すると、バッグハウスに問題を生じるおそれがある。
【００２５】
金属製圧潰防止リング２０２での静電荷を低減するため、フィルターバッグ６０に接地構造１８０が設けられる。これは、圧潰防止リング２０２と金属製シンブル１０４と最終的に接地される管板８４の間に導電性を与えることによって達成される。接地までの導電経路は、圧潰防止装置１８４及びシンブル１０４と物理的に接する接地線１８２によって確立される。
【００２６】
接地線１８２は、気流を認知し得るほど制限することのない可撓性鋼メッシュ材料から作られる。接地線１８２はフィルターバッグ６０の継ぎ目に縫い付けられ、実質的にフィルターバッグの全長に延在する。図５に示すように、フィルターバッグの下端部において、接地線１８２は端部２０８の形態の余分な長さを有する。
【００２７】
各圧潰防止リング２０２は、カバー２０４によってフィルターバッグ６０に取り付けられる（図４）。カバー２０４は、気流を認知し得るほど制限することのない可撓性鋼メッシュ材料から作られる。カバー２０４は、折り重ねた鋼メッシュの二重層からなる。カバー２０４は、縫い目２０６によってフィルターバッグ６０に縫い付けられる。導電性部品同士のこうした物理的接触で、フィルターバッグ６０に沿って接地までの導電経路が形成される。この導電経路は静電気の蓄積防止に十分である。
【００２８】
接地線１８２の端部２０８は、カフ１２０内及びコード１３０の周囲に延在している。図５に示すように、端部２０８は上方に延びてカフ１２０の上部を越えてから、下方へと下る。端部２０８は次いでカフ１２０の最下端の下を通ってシンブル１０４上に向けられる。接地線１８２の端部２０８はシンブル１０４と係合して導電経路を完成する。
【００２９】
本発明の１以上の好ましい実施形態に関する上述の説明から、様々な改良、変更及び修正が想到されるであろう。かかる改良、変更及び修正は特許請求の範囲に包含される。
【図面の簡単な説明】
【００３０】
【図１】本発明の一態様に従って構成されたフィルターバッグを備えるバッグハウスの部分断面概略図。
【図２】図１のフィルターバッグの拡大立面図。
【図３】図２に示す本発明の一態様に係るフィルターバッグの部分拡大斜視図。
【図４】図３のフィルターバッグの部分拡大断面図。
【図５】図２のフィルターバッグの他の部分の拡大断面図。
【符号の説明】
【００３１】
２０  バッグハウス
４０  ハウジング
４２  入口
６０  フィルターバッグ
６２  出口
８０  入口プレナム
８２  出口プレナム
８４  管板
１００  開口部
１０４  ビード付シンブル
１０６  ビード部
１２０  カフ
１２２  テンショニング装置
１３０  コード
１４０  クランプ
１４２  調節部
１６４  縫い目
１８０  接地構造
１８２  接地線
１８４  圧潰防止装置
２０２  圧潰防止リング
２０４  カバー
２０６  縫い目
２０８  端部
Ｃ  濾過気体
Ｄ  微粒子含有気体
【図１】
2009000680.tif 000003
【図２】
2009000680.tif 000004
【図３】
2009000680.tif 000005
【図４】
2009000680.tif 000006
【図５】
2009000680.tif 000007